(57)【要約】      （修正有）【課題】  利用者が商品を購入するように促すことができる商品情報提供システムを提供する。【解決手段】  サーバー２０は、第１対応付け情報と第２対応付け情報とに基づいて、お勧め度指標を商品ごとに集計する。第１対応付け情報は、商品識別情報とコメント情報とお勧め度情報とを対応づけた情報である。商品識別情報は、商品を識別する情報である。コメント情報は、商品に対するコメントに関する情報である。お勧め度情報は、商品のお勧め度に関する情報である。第２対応付け情報は、コメント情報と共感度合い情報とを対応づけた情報である。共感度合い情報は、コメント情報に対する共感度合いを示す情報である。お勧め度指標は、お勧め度に重み付けを掛けた値の合計である。【選択図】      図１
2007094826.tif 000002
【特許請求の範囲】
【請求項１】
商品の情報を提供する商品情報提供システムであって、
前記商品を入手した者である入手者が利用する入手者端末の集まりである入手者端末群と、
ネットワークを介して前記入手者端末群に接続された中継装置と、
ネットワークを介して前記中継装置に接続されており、前記商品の情報を閲覧する者である閲覧者が利用する閲覧者端末の集まりである閲覧者端末群と、
を備え、
各前記入手者端末は、
前記商品を識別する情報である商品識別情報が入力される識別情報入力部と、
前記商品に対するコメントに関する情報であるコメント情報が入力されるコメント入力部と、
前記商品のお勧め度に関する情報であるお勧め度情報が入力されるお勧め度入力部と、
前記商品識別情報と前記コメント情報と前記お勧め度情報とを前記ネットワーク経由で前記中継装置へ送信する入手送信部と、
を有し、
各前記閲覧者端末は、
前記商品識別情報と前記コメント情報と前記お勧め度情報とを前記ネットワーク経由で前記中継装置から受信する閲覧受信部と、
前記商品識別情報と前記コメント情報と前記お勧め度情報とを表示する閲覧表示部と、
前記閲覧者表示部が表示した前記商品識別情報と前記コメント情報と前記お勧め度情報とに基づいて、前記コメント情報に対する共感度合いを示す情報である共感度合い情報が入力される共感度合い入力部と、
前記コメント情報と前記共感度合い情報とを前記ネットワーク経由で前記中継装置へ送信する閲覧送信部と、
を有し、
前記中継装置は、
前記商品識別情報と前記コメント情報と前記お勧め度情報とを前記ネットワーク経由で各前記入手者端末から受信する中継第１受信部と、
前記商品識別情報と前記コメント情報と前記お勧め度情報とを対応づけた情報である第１対応付け情報を記憶する中継第１記憶部と、
前記商品識別情報と前記コメント情報と前記お勧め度情報とを前記ネットワーク経由で各前記閲覧者端末へ送信する中継第１送信部と、
前記コメント情報と前記共感度合い情報とを前記ネットワーク経由で各前記閲覧者端末から受信する中継第２受信部と、
前記コメント情報と前記共感度合い情報とを対応づけた情報である第２対応付け情報を記憶する中継第２記憶部と、
前記第１対応付け情報と前記第２対応付け情報とに基づいて、前記お勧め度に重み付けを掛けた値の合計及び平均のいずれかであるお勧め度指標を前記商品ごとに集計する中継集計部と、
前記中継集計部が集計した前記お勧め度指標に基づいて、前記お勧め度指標が多い順に前記商品識別情報を並べた情報であるランキング情報を生成する中継生成部と、
を有し、
前記中継装置の前記中継第１送信部は、前記ランキング情報を前記ネットワーク経由で各前記閲覧者端末へさらに送信し、
各前記閲覧者端末の前記閲覧受信部は、前記ランキング情報を前記ネットワーク経由で前記中継装置からさらに受信し、
各前記閲覧者端末の前記閲覧表示部は、前記ランキング情報をさらに表示する、
商品情報提供システム。
【請求項２】
前記中継装置の前記中継集計部は、共感度合いが高いコメント情報に対するお勧め度への重み付けの値である第１重み付け値が、共感度合いが低いコメント情報に対するお勧め度への重み付けの値である第２重み付け値以上になるように、前記お勧め度指標を前記商品ごとに集計する、
請求項１に記載の商品情報提供システム。
【発明の詳細な説明】
【技術分野】
【０００１】
本発明は、商品情報提供システムに関する。
【背景技術】
【０００２】
従来から、商品の情報を提供するシステム提案されている（例えば、特許文献１参照）。
【特許文献１】特開２００５−２３５１３９（第１−１９頁、第１−２５図）
【発明の開示】
【発明が解決しようとする課題】
【０００３】
特許文献１の技術では、投稿者端末と通信ネットワークとを介して、データベースサーバーに商品のお勧め度が入力される。しかし、特許文献１の技術では、投稿者の主観に基づいて、商品のお勧め度が入力されている。これにより、通信ネットワークと利用者端末とを介して、商品のお勧め度が利用者に提供されても、お勧め度の利用者に対する説得力が弱いものとなりやすい。このため、商品のお勧め度に基づいて、利用者が商品を購入するように促すことが困難な傾向にある。
【０００４】
本発明の課題は、利用者が商品を購入するように促すことができる商品情報提供システムを提供することにある。
【課題を解決するための手段】
【０００５】
第１発明に係る商品情報提供システムは、商品の情報を提供する商品情報提供システムであって、入手者端末群と、中継装置と、閲覧者端末群とを備える。入手者端末群は、入手者端末の集まりである。入手者端末は、入手者が利用する。入手者は、商品を入手した者である。中継装置は、ネットワークを介して入手者端末群に接続されている。閲覧者端末群は、閲覧者端末の集まりである。閲覧者端末は、ネットワークを介して中継装置に接続されている。閲覧者端末は、閲覧者が利用する。閲覧者は、商品の情報を閲覧する者である。
【０００６】
各入手者端末は、識別情報入力部と、コメント入力部と、お勧め度入力部と、入手送信部とを有する。識別情報入力部には、商品識別情報が入力される。商品識別情報は、商品を識別する情報である。コメント入力部には、コメント情報が入力される。コメント情報は、商品に対するコメントに関する情報である。お勧め度入力部には、お勧め度情報が入力される。お勧め度情報は、商品のお勧め度に関する情報である。入手送信部は、商品識別情報とコメント情報とお勧め度情報とをネットワーク経由で中継装置へ送信する。
【０００７】
各閲覧者端末は、閲覧受信部と、閲覧表示部と、共感度合い入力部と、閲覧送信部とを有する。閲覧受信部は、商品識別情報とコメント情報とお勧め度情報とをネットワーク経由で中継装置から受信する。閲覧表示部は、商品識別情報とコメント情報とお勧め度情報とを表示する。共感度合い入力部には、閲覧者表示部が表示した商品識別情報とコメント情報とお勧め度情報とに基づいて、共感度合い情報が入力される。共感度合い情報は、コメント情報に対する共感度合いを示す情報である。閲覧送信部は、コメント情報と共感度合い情報とをネットワーク経由で中継装置へ送信する。
【０００８】
中継装置は、中継第１受信部と、中継第１記憶部と、中継第１送信部と、中継第２受信部と、中継第２記憶部と、中継集計部と、中継生成部とを有する。中継第１受信部は、商品識別情報とコメント情報とお勧め度情報とをネットワーク経由で各入手者端末から受信する。中継第１記憶部は、第１対応付け情報を記憶する。第１対応付け情報は、商品識別情報とコメント情報とお勧め度情報とを対応づけた情報である。中継第１送信部は、商品識別情報とコメント情報とお勧め度情報とをネットワーク経由で各閲覧者端末へ送信する。中継第２受信部は、コメント情報と共感度合い情報とをネットワーク経由で各閲覧者端末から受信する。中継第２記憶部は、第２対応付け情報を記憶する。第２対応付け情報は、コメント情報と共感度合い情報とを対応づけた情報である。中継集計部は、第１対応付け情報と第２対応付け情報とに基づいて、お勧め度指標を商品ごとに集計する。お勧め度指標は、お勧め度に重み付けを掛けた値の合計及び平均のいずれかである。中継生成部は、中継集計部が集計したお勧め度指標に基づいて、ランキング情報を生成する。ランキング情報は、お勧め度指標が多い順に商品識別情報を並べた情報である。中継装置の中継第１送信部は、ランキング情報をネットワーク経由で各閲覧者端末へさらに送信する。各閲覧者端末の閲覧受信部は、ランキング情報をネットワーク経由で中継装置からさらに受信する。各閲覧者端末の閲覧表示部は、ランキング情報をさらに表示する。
【０００９】
この商品情報提供システムでは、中継集計部は、第１対応付け情報と第２対応付け情報とに基づいて、お勧め度指標を商品ごとに集計する。これにより、共感度合いが高いコメントに対応したお勧め度の重み付けが多くなるようにして、商品のお勧め度指標を集計することができるので、お勧め度の説得力の違いを考慮してお勧め度指標を集計することができる。
【００１０】
また、中継生成部は、中継集計部が集計したお勧め度指標に基づいて、ランキング情報を生成する。これにより、説得力の違いを考慮したランキング情報を生成することができる。
【００１１】
さらに、各閲覧者端末の閲覧表示部は、ランキング情報をさらに表示する。これにより、閲覧者がランキング情報を閲覧するようにできる。
【００１２】
このように、説得力のあるランキング情報を閲覧者に提供できるので、閲覧者が商品を購入するように促すことができる。
【００１３】
第２発明に係る商品情報提供システムは、第１発明の商品情報提供システムであって、中継装置の中継集計部は、第１重み付け値が第２重み付け値以上になるように、お勧め度指標を商品ごとに集計する。第１重み付け値は、共感度合いが高いコメント情報に対するお勧め度への重み付けの値である。第２重み付け値は、共感度合いが低いコメント情報に対するお勧め度への重み付けの値である。
【００１４】
この商品情報提供システムでは、中継装置の中継集計部は、第１重み付け値が第２重み付け値以上になるように、お勧め度指標を商品ごとに集計する。これにより、説得力が高い者のお勧め度がお勧め度指標へ反映される度合いを多くすることができる。
【００１５】
このように、お勧め度の説得力の違いを考慮してお勧め度指標を集計することができるので、お勧め度指標の説得力を高めることができる。
【発明の効果】
【００１６】
第１発明に係る商品情報提供システムでは、入手者の客観的な評価を閲覧者に提供できるので、閲覧者が商品を購入するように促すことができる。
【００１７】
第２発明に係る商品情報提供システムでは、お勧め度の説得力の違いを考慮してお勧め度指標を集計することができるので、お勧め度指標の説得力を高めることができる。
【発明を実施するための最良の形態】
【００１８】
本発明の実施形態に係る商品情報提供システムを図１に示す。
【００１９】
＜商品情報提供システムの概略構成＞
商品情報提供システム１は、主として、入手者端末群４０（４０ａ，４０ｂ，・・・），ネットワーク１０，サーバー２０及び閲覧者端末群５０（５０ａ，５０ｂ，・・・）を備える。
【００２０】
入手者端末群４０（４０ａ，４０ｂ，・・・）とサーバー２０と閲覧者端末群５０（５０ａ，５０ｂ，・・・）とは、互いにネットワーク１０で接続されている。入手者端末群４０の各入手者端末４０ａ，４０ｂ，・・・は、入手者が利用する端末である。入手者は、商品を入手したものである。閲覧者端末群５０の各閲覧者端末５０ａ，５０ｂ，・・・は、閲覧者が利用する端末である。閲覧者は、商品の情報を閲覧するものである。
【００２１】
＜商品情報提供システムの概略動作＞
入手者端末群４０（４０ａ，４０ｂ，・・・）は、ネットワーク１０を介して、入手者の要求に応じて情報をサーバー２０へ送信する。サーバー２０は、その情報を受信して必要に応じて記憶する。
【００２２】
サーバー２０は、ネットワーク１０を介して、必要な情報を閲覧者端末群５０（５０ａ，５０ｂ，・・・）へ送信する。閲覧者端末群５０（５０ａ，５０ｂ，・・・）は、その情報を受信して閲覧者の要求に応じて表示する。
【００２３】
このように、商品情報提供システム１では、サーバー２０が、ネットワーク１０と閲覧者端末群５０（５０ａ，５０ｂ，・・・）とを介して、商品の情報を閲覧者に提供する。
【００２４】
＜入手者端末群の詳細構成＞
入手者端末群の各入手者端末の構成図を図２に示す。
【００２５】
入手者端末４０ａは、主として、入手送信部４１ａ，入手受信部４２ａ，制御部４３ａ，識別情報入力部４４ａ，コメント入力部４５ａ及びお勧め度入力部４６ａを備える。
【００２６】
入手送信部４１ａ及び入手受信部４２ａは、ネットワーク１０に接続されており、制御部４３ａにも接続されている。また、識別情報入力部４４ａ，コメント入力部４５ａ及びお勧め度入力部４６ａは、制御部４３ａに接続されている。
【００２７】
なお、他の入手者端末４０ｂ，・・・の構成も入手者端末４０ａと同様である。
【００２８】
＜入手者端末群の詳細動作＞
識別情報入力部４４ａには、入手者により、商品識別情報が入力される。ここで、商品識別情報は、商品を識別する情報である。制御部４３ａは、商品識別情報を識別情報入力部４４ａから受け取る。
【００２９】
コメント入力部４５ａには、入手者により、コメント情報が入力される。ここで、コメント情報は、商品に対するコメントに関する情報である。制御部４３ａは、コメント情報をコメント入力部４５ａから受け取る。
【００３０】
お勧め度入力部４６ａには、入手者により、お勧め度情報が入力される。ここで、お勧め度情報は、商品のお勧め度に関する情報である。制御部４３ａは、お勧め度情報をお勧め度入力部４６ａから受け取る。
【００３１】
制御部４３ａは、商品識別情報とコメント情報とお勧め度情報とを入手送信部４１ａへ渡す。入手送信部４１ａは、商品識別情報とコメント情報とお勧め度情報とを、ネットワーク１０経由でサーバー２０へ送信する。
【００３２】
なお、入手受信部４２ａは、必要に応じて、ネットワーク１０経由でサーバー２０から情報を受信する。
【００３３】
＜サーバーの詳細構成＞
サーバーの構成図を図３に示す。
【００３４】
サーバー２０は、主として、中継第１受信部２１，中継第２受信部２２，中継第１送信部２３，制御部２４，中継集計部２５，中継生成部２６，中継第１記憶部２７及び中継第２記憶部２８を備える。
【００３５】
中継第１受信部２１，中継第２受信部２２及び中継第１送信部２３は、ネットワーク１０に接続されており、制御部２４にも接続されている。また、中継集計部２５，中継生成部２６，中継第１記憶部２７及び中継第２記憶部２８は、制御部２４に接続されている。中継第１記憶部２７には、第１対応付け情報３１が記憶されている。中継第２記憶部２８には、第２対応付け情報３２が記憶されている。
【００３６】
＜サーバーの詳細動作＞
中継第１受信部２１は、商品識別情報とコメント情報とお勧め度情報とを、ネットワーク１０経由で識別情報入力部４４ａ，・・・から受信する。中継第１記憶部２７は、商品識別情報とコメント情報とお勧め度情報とを、制御部２４経由で中継第１受信部２１から受け取り、第１対応付け情報３１として記憶する。ここで、第１対応付け情報３１は、商品識別情報とコメント情報とお勧め度情報とを対応づけた情報である（図５参照）。
【００３７】
中継第１送信部２３は、商品識別情報とコメント情報とお勧め度情報とを、制御部２４経由で中継第１受信部２１から受け取る。中継第１送信部２３は、商品識別情報とコメント情報とお勧め度情報とを、ネットワーク１０経由で閲覧者端末５０ａ，・・・へ送信する。
【００３８】
中継第２受信部２２は、コメント情報と共感度合い情報とをネットワーク１０経由で各閲覧者端末５０ａ，・・・から受信する。中継第２記憶部２８は、コメント情報と共感度合い情報とを、制御部２４経由で中継第２受信部２２から受け取り、第２対応付け情報３２として記憶する。ここで、第２対応付け情報３２は、コメント情報と共感度合い情報とを対応づけた情報である（図６参照）。
【００３９】
中継集計部２５は、第１対応付け情報と第２対応付け情報とに基づいて、お勧め度指標を商品ごとに集計する。ここで、お勧め度指標は、お勧め度に重み付けを掛けた値の合計である。具体的には、中継集計部２５は、第１重み付け値が第２重み付け値以上になるように、お勧め度指標を商品ごとに集計する。第１重み付け値は、共感度合いが高いコメント情報に対するお勧め度への重み付けの値である。第２重み付け値は、共感度合いが低いコメント情報に対するお勧め度への重み付けの値である。
【００４０】
中継生成部２６は、お勧め度指標の情報を制御部２４経由で中継集計部２５から受け取る。中継生成部２６は、中継集計部２５が集計したお勧め度指標に基づいて、ランキング情報を生成する。ここで、ランキング情報は、お勧め度指標の合計が多い順に商品識別情報を並べた情報である。
【００４１】
中継第１送信部２３は、ランキング情報を制御部２４経由で中継生成部２６から受け取る。中継第１送信部は、ランキング情報をネットワーク１０経由で各閲覧者端末５０ａ，・・・へ送信する。
【００４２】
＜閲覧者端末群の詳細構成＞
閲覧者端末群の各入手者端末の構成図を図４に示す。
【００４３】
閲覧者端末５０ａは、主として、閲覧受信部５１ａ，閲覧送信部５２ａ，制御部５３ａ，共感度合い入力部５４ａ及び閲覧表示部５５ａを備える。
【００４４】
閲覧受信部５１ａ及び閲覧送信部５２ａは、ネットワーク１０に接続されており、制御部５３ａにも接続されている。また、共感度合い入力部５４ａ及び閲覧表示部５５は、制御部５３ａに接続されている。
【００４５】
なお、他の閲覧者端末５０ｂ，・・・の構成も閲覧者端末５０ａと同様である。
【００４６】
＜閲覧者端末群の詳細動作＞
閲覧受信部５１ａは、商品識別情報とコメント情報とお勧め度情報とをネットワーク１０経由でサーバー２０から受信する。制御部５３ａは、商品識別情報とコメント情報とお勧め度情報とを閲覧受信部５１ａから受け取る。
【００４７】
閲覧表示部５５ａは、商品識別情報とコメント情報とお勧め度情報とを制御部５３ａから受け取り表示画面（図示せず）に表示する。これにより、閲覧者は、商品識別情報とコメント情報とお勧め度情報とを把握することができ、コメント情報に共感するか否かを判断することができるようになっている。
【００４８】
共感度合い入力部５４ａには、閲覧者表示部５５ａが表示した商品識別情報とコメント情報とお勧め度情報とに基づいて、閲覧者により、共感度合い情報がコメント情報に関連づけて入力される。ここで、共感度合い情報は、コメント情報に対する共感度合いを示す情報であり、例えば、コメント情報に共感するか否かを示す情報である。
【００４９】
閲覧送信部５２ａは、コメント情報と共感度合い情報と制御部５３ａ経由で共感度合い入力部５４ａから受け取る。閲覧送信部５２ａは、コメント情報と共感度合い情報とをネットワーク１０経由でサーバー２０へ送信する。
【００５０】
閲覧受信部５１ａは、ランキング情報をネットワーク１０経由でサーバー２０から受信する。制御部５３ａは、ランキング情報を閲覧受信部５１ａから受け取る。
【００５１】
閲覧表示部５５ａは、ランキング情報を制御部５３ａから受け取り表示画面（図示せず）に表示する。これにより、閲覧者は、説得力のあるランキング情報を閲覧者に提供できるようになっている。
【００５２】
＜第１対応付け情報の詳細構成＞
第１対応付け情報３１は、商品識別情報とコメント情報とお勧め度情報とを対応づけた情報である。第１対応付け情報３１は、図５に示すように、主として、商品識別情報欄３１１，コメント情報欄３１２及びお勧め度情報欄３１３を備える。ここで、商品識別情報に対応する欄が商品識別情報欄３１１であり、コメント情報に対応する欄がコメント情報欄３１２であり、お勧め度情報に対応する欄がお勧め度情報欄３１３である。
【００５３】
商品識別情報欄３１１には、商品識別情報が記録されている。商品識別情報は、商品を識別する情報である。コメント情報欄３１２には、コメント情報が記録されている。コメント情報は、商品に対するコメントに関する情報であり、例えば、商品を使用した感想の情報である。お勧め度情報欄３１３には、お勧め度情報が記録されている。お勧め度情報は、商品のお勧め度に関する情報であり、例えば、商品のお勧め度を７段階評価で示した１〜７のいずれかの数字である。
【００５４】
第１対応付け情報３１を参照することにより、各商品に対するコメントとお勧め度とを把握することができる。例えば、「豆乳Ｃ１」に対するコメントが「味わいがまろやかで・・・」であり、「豆乳Ｃ１」のお勧め度が７段階評価で「５」であることが分かる。例えば、「豆乳Ｃ１」に対するコメントが「クリーミーなおいしさ・・・」であり、「豆乳Ｃ１」のお勧め度が７段階評価で「４」であることが分かる。例えば、「豆乳Ｃ５」に対するコメントが「コクがあって・・・」であり、「豆乳Ｃ５」のお勧め度が７段階評価で「６」であることが分かる。
【００５５】
＜第２対応付け情報の詳細構成＞
第２対応付け情報３２は、コメント情報と共感度合い情報とを対応づけた情報である。第２対応付け情報３２は、図６に示すように、主として、コメント情報欄３２１及び共感度合い情報欄３２２を備える。ここで、コメント情報に対応する欄がコメント情報欄３２１であり、共感度合い情報に対応する欄が共感度合い情報欄３２２である。
【００５６】
コメント情報欄３２１には、コメント情報が記録されている。コメント情報は、商品に対するコメントに関する情報であり、例えば、商品を使用した感想の情報である。共感度合い情報欄３２２には、共感度合い情報が記録されている。共感度合い情報は、コメント情報に対する共感度合いを示す情報であり、例えば、コメント情報に共感するか否かを示す情報である。
【００５７】
第２対応付け情報３２を参照することにより、各コメントに対する共感度合いを把握することができる。例えば、コメント「味わいがまろやかで・・・」に対して「共感する」という意見が１件あり、「共感しない」という意見が２件あることが分かる。例えば、コメント「クリーミーなおいしさ・・・」に対して「共感する」という意見が１件あることが分かる。例えば、コメント「コクがあって・・・」に対して、「共感する」という意見が３件あることが分かる。
【００５８】
＜お勧め度指標の計算方法＞
お勧め度指標は、お勧め度に重み付けを掛けた値の合計であり、各商品に対して、
（お勧め度指標）＝Σ｛（お勧め度）×（重み付け）｝                    （１）
の式により計算される。
【００５９】
例えば、図５及び図６に示す場合、「豆乳Ｃ１」に対するコメント「味わいがまろやかで・・・」を書いた入手者によるお勧め度が「５」である。一方、コメント「味わいがまろやかで・・・」に対して「共感する」という意見が１件あるので、お勧め度「５」に対する重み付けが「１」となる。また、「豆乳Ｃ１」に対するコメント「クリーミーなおいしさ・・・」を書いた入手者によるお勧め度が「４」である。一方、コメント「クリーミーなおいしさ・・・」に対して「共感する」という意見が１件あるので、お勧め度「４」に対する重み付けが「１」となる。
【００６０】
このようにして、式（１）を適用すると、お勧め度指標は、
（「豆乳Ｃ１」のお勧め度指標）＝５×１＋４×１＝９                    （２）
と計算される。
【００６１】
例えば、図５及び図６に示す場合、「豆乳Ｃ５」に対するコメント「コクがあって・・・」を書いた入手者によるお勧め度が「６」である。一方、コメント「コクがあって・・・」に対して「共感する」という意見が３件あるので、お勧め度「６」に対する重み付けが「３」となる。・・・
このようにして、式（１）を適用すると、お勧め度指標は、
（「豆乳Ｃ５」のお勧め度指標）＝６×３＝１８                          （３）
と計算される。
【００６２】
式（２）、（３）より、商品「豆乳」のランキングは、お勧め度指標が「１８」である「豆乳Ｃ５」が１位となり、お勧め度指標が「９」である「豆乳Ｃ１」が２位となる。
【００６３】
ここで、特許文献１に示される技術のように、単にお勧め度を合計するだけであれば、お勧め度の合計が「９」である「豆乳Ｃ１」が１位になり、お勧め度の合計が「６」である「豆乳Ｃ５」が２位になってしまう。説得力が低いコメント「味わいがまろやかで・・・」やコメント「クリーミーなおいしさ・・・」に対するお勧め度と、説得力が高いコメント「コクがあって・・・」に対するお勧め度とが同等に評価されたランキングとなっているので、「豆乳Ｃ１」及び「豆乳Ｃ５」のランキングの説得力が弱いものとなっている。
【００６４】
それに対して、本発明では、中継集計部２５は、第１重み付け値が第２重み付け値以上になるように、お勧め度指標を商品ごとに集計する。第１重み付け値は、共感度合いが高いコメント情報に対するお勧め度への重み付けの値である。第２重み付け値は、共感度合いが低いコメント情報に対するお勧め度への重み付けの値である。これにより、説得力が高い者のお勧め度がお勧め度指標へ反映される度合いを多くすることができるようになっている。具体的には、説得力が高いコメント「コクがあって・・・」に対するお勧め度が、説得力が低いコメント「味わいがまろやかで・・・」やコメント「クリーミーなおいしさ・・・」に対するお勧め度よりも、お勧め度指標へ反映される度合いが多くなっている。
【００６５】
＜商品情報提供システムに関する特徴＞
（１）
ここでは、中継集計部２５は、第１対応付け情報３１と第２対応付け情報３２とに基づいて、お勧め度指標を商品ごとに集計する。これにより、共感度合いが高いコメントに対応したお勧め度の重み付けが多くなるようにして、商品のお勧め度指標が集計されるので、お勧め度の説得力の違いを考慮してお勧め度指標を集計することができるようになっている。
【００６６】
また、中継生成部２６は、中継集計部２５が集計したお勧め度指標に基づいて、ランキング情報を生成する。これにより、説得力の違いを考慮したランキング情報を生成することができるようになっている。
【００６７】
さらに、各閲覧者端末５０ａ，・・・の閲覧表示部５５ａ，・・・は、ランキング情報をさらに表示する。これにより、閲覧者がランキング情報を閲覧するようになる。
【００６８】
このように、説得力のあるランキング情報を閲覧者に提供するので、閲覧者が商品を購入するように促すことができるようになっている。
【００６９】
（２）
ここでは、サーバー２０の中継集計部２５は、第１重み付け値が第２重み付け値以上になるように、お勧め度指標を商品ごとに集計する。これにより、説得力が高い者のお勧め度がお勧め度指標へ反映される度合いを多くすることができるようになっている。
【００７０】
このように、お勧め度の説得力の違いを考慮してお勧め度指標を集計するので、お勧め度指標の説得力は高められている。
【００７１】
＜実施形態の変形例＞
お勧め度指標は、お勧め度に重み付けを掛けた値の平均であってもよい。このとき、お勧め度指標は、
（お勧め度指標）＝Σ｛（お勧め度）×（重み付け）／（コメント数）｝    （４）
の式により計算されることになる。この場合でも、共感度合いが高いコメントに対応したお勧め度の重み付けが多くなるようにして、商品のお勧め度指標が集計されるので、お勧め度の説得力の違いを考慮してお勧め度指標を集計することができるようになっている。
【産業上の利用可能性】
【００７２】
本発明に係る商品情報提供システムは、閲覧者が商品を購入するように促すことができるという効果を有し、商品情報提供システム等として有用である。
【図面の簡単な説明】
【００７３】
【図１】本発明の実施形態に係る商品情報提供システムの構成図。
【図２】本発明の実施形態における入手者端末の構成図。
【図３】本発明の実施形態におけるサーバーの構成図。
【図４】本発明の実施形態における閲覧者端末の構成図。
【図５】第１対応付け情報の構成を示す図。
【図６】第２対応付け情報の構成を示す図。
【符号の説明】
【００７４】
１  商品情報提供システム
１０  ネットワーク
２０  サーバー
４０  入手者端末群
５０  閲覧者端末群
【図１】
2007094826.tif 000003
【図２】
2007094826.tif 000004
【図３】
2007094826.tif 000005
【図４】
2007094826.tif 000006
【図５】
2007094826.tif 000007
【図６】
2007094826.tif 000008